(57)【要約】【課題】室内機上面の清掃性は困難であり、外観を損ねる原因となる。また、フィルターの埃による性能低下・フィルター掃除の煩わしさもあった。さらに、フィルター掃除時にパネル等の開閉に必要な上方スペースが確保できず、取付け不可能な機種もあった。【解決手段】運転時も室内機内部に納まる可動パネルを配置することで、パネル開閉用にユニット寸法以外の寸法が必要なく、運転停止時は上面吸込み部にパネルを配置して埃等の侵入防止、運転開始時にはパネル移動によるフィルターの自動掃除、さらに停止時の全面フラット化による清掃性を向上する構造とした。【選択図】図１
2007187327.tif 000002
【特許請求の範囲】
【請求項１】
空気調和機の室内ユニット筐体に室内熱交換器とフィルターを内蔵し、室内機の吸込み口に開閉可能なパネルを有する空気調和機において、前記吸込み口を少なくとも上面に備え、この上面の吸込み口を、空気調和機の運転停止時に、パネルが前記フィルターと平行に移動し且つフィルター上流面に摺動接触して吸込み口を閉じる形態に配置したことを特徴とする空気調和機。
【請求項２】
請求項１記載において、運転中にパネルが移動し、上面吸込み口を全開する形態に配置されることを特徴とする空気調和機。
【請求項３】
請求項１記載において、パネル下面に凸部を備え、この凸部がパネルの開動作時に後部となる位置で、且つ開閉方向に複数並べて配置され、運転開始時のパネル開放時に、上記凸部がフィルター表面の埃をコンパクト・且つ小スペースに納まるように収集することを特徴とする空気調和機。
【請求項４】
請求項１記載において、運転開始時にパネルが移動する時に、化粧枠に配置された凹部でパネル表面の埃を収集し、パネル開閉と同時に停止中に蓄積した室内機上面の埃の掃除を行うことを特徴とする空気調和機。
【請求項５】
請求項１記載において、運転中はパネルが室内機内部に収納可能な位置に配置されることを特徴とする空気調和機。
【請求項６】
請求項１記載において、パネルを室内機の外形寸法内でスライド開閉する構成として、停止中・運転中共に室内機外観寸法が変わらないことを特徴とする空気調和機。
【請求項７】
請求項１記載において、パネル開閉をスライド方向にして、開閉スペースを不要としたことを特徴とする空気調和機。
【発明の詳細な説明】
【技術分野】
【０００１】
本発明は、送風源で起風され、フィルター掃除の自動化・停止時の埃侵入防止・パネル開閉時の必要スペースの除去を目的とした可動可能なパネルを吸込み口に用いた空気調和機に関するものである。
【背景技術】
【０００２】
従来空気調和機の吸込み口には室内側熱交換器の上流側に熱交換器への埃付着を防止する為にフィルターが取り付けられている。このフィルターは比較的目の粗いもので、肉眼で確認できる程度の大きさの埃を捕集することを主な目的としている。
【０００３】
さらに、リモコンでフィルターの掃除をするための信号を送信し、フィルターの埃を除去する工夫がなされている。
【０００４】
ところが、フィルターより上流に配置されたグリル等の清掃は困難であり、埃の集積し易いグリルの取外し作業を行う必要があった。
【０００５】
【特許文献１】特開２００５−１７２３６２号公報
【発明の開示】
【発明が解決しようとする課題】
【０００６】
記載した従来の空気調和機では、次のような問題があった。
【０００７】
空気調和機の上面は埃等の集積が多く、清掃が困難である。特に長期間使用しない季節後のフィルターの目に付着した埃の掃除は困難であり、空気調和機本体の上面に集積した埃も外観を損ねてしまう状態となった。さらに、フィルター清掃時にグリル・パネルを開閉するときに埃の付着したグリル・パネルを操作して清掃する必要があった。
【０００８】
また、フィルターの掃除をしない場合で運転を継続した場合の通風抵抗増加による風量低下の影響で、冷房・暖房能力の低下の原因にもなった。
【０００９】
さらに、フィルターの掃除を行う為、グリル・パネルの開閉をする必要があり、動作スペースが必要であった。動作スペースが原因で据付け不可能な条件もあった。
【００１０】
そこで本発明では、空気調和機上面に可動するパネルを配置する構造とし、運転停止・開始時にも外観寸法が変わらなく、運転停止時には上記吸込み口からの埃侵入を防止し、運転開始のタイミングにフィルターを自動清掃する空気調和機を提案する。
【課題を解決するための手段】
【００１１】
上記課題を解決するために本発明では、室内機の吸込み口に開閉可能なパネルを有する空気調和機において、前記吸込み口を少なくとも上面に備え、この上面の吸込み口を、空気調和機の運転停止時に、パネルが前記フィルターと平行に移動し且つフィルター上流面に摺動接触して吸込み口を閉じる形態に配置した空気調和機とした。
【００１２】
可動パネルは、停止時には空気調和機上面に位置して埃の侵入を防止し、上面を全閉して清掃が簡単なフラットとなる構造とした。また、運転時にはパネルが正面に移動し、風量の多い上面吸込みをフィルターのみとし、風量の増加する構造とした。
【００１３】
さらに、運転開始時にパネルの裏・フィルター表面の埃を除去する構造とすることにより、フィルター掃除不要とする構造とした。すなわち、パネル下面部で埃を押しながら摺動して、埃をフィルターから除去する。
【発明の効果】
【００１４】
停止時にはパネルが上面に移動して位置する為、上面の吸込み口を塞ぐことにより、上方向からの埃の侵入を防止し、外見も溝等が減少してフラット化するため、空気調和機外側の清掃性が向上する。
【００１５】
運転開始時には、パネルが開くことで、自動的にパネル表面の埃の除去・フィルターの上流側面に付着した埃の除去を行う為、フィルター掃除が不要となり且つ埃が開閉の都度除去されて長期間堆積しないため、性能向上及び省電力になる。さらに、パネル下面部で埃を押しながら摺動することで、埃が丸められるように小さくなり、小スペースに収集することができる。
【００１６】
また、パネルも室内機の内部に隠れる為、上面が表面に見えることがなく、外観を損ねることもない。
【００１７】
さらに、パネル開閉のパネルの軌跡も空気調和機内の寸法内に納まる為、パネル開閉による据付けスペースの制限が無くなる。
【発明を実施するための最良の形態】
【００１８】
図１は、本発明の実施の形態に関する空気調和機の室内機の内部を表す側断面図を示している。筐体１は、キャビネット２に着脱自在に被せられた化粧カバー３で形成され、化粧カバーの正面３ａは固定構造となっている。化粧カバー３の上面には室内機の吸込み口４に、可動パネル４ａが設けられ、全面下部には空気通路６内には化粧カバー３の内面に沿わせてキャビネット２寄りまで届くエアーフィルター７と三分割された熱交換器８とが配置されており、熱交換器８より熱交換された空気は送風機９により吸出し口５に送られ、室内への風向を調節するために風向板１０を設けている。
【００１９】
前記吸込口４は熱交換器８のほぼ全域にスリット状に形成されている。熱交換器８の上流にはエアーフィルター７が配置している。エアーフィルター７の上流には可動式パネル４ａを配置し、図１は停止時を示し、図２は運転時を示す。
【００２０】
運転開始時には図１の可動パネル４ａが閉じた状態から図２の開いた状態に移動する。その時、可動パネル４ａの下面に設けた凸部４ｂが、化粧カバー上部溝(前)３ｂに可動パネル４ａの上面に溜まった埃を収集する。これと同時に可動パネル４ａの下面に設けた凸部４ｂが、エアーフィルター７の上流面に摺動接触して、エアーフィルター７上流面の埃を下方向に押しながら誘導し、化粧カバー上部溝(後)３ｃに埃を収集する。この凸部４ｂを、可動パネル４ａの開動作時に後部となる位置で、且つ開閉方向に複数並べて配置した。
【００２１】
尚、フィルターの吸込み側にスライド開閉する可動パネルを設けたものとしては、弊社出願の特開平０８−２９６８６７号公報が挙げられる。しかしこれは、吸込口を使用しないときに通風部を閉鎖することで内部を汚れ難くし、これによって清掃をし易くすることを目的として設けたものである。この弊社出願の公開公報には、可動パネルでフィルターを清掃することについては、目的・課題・効果のいずれにも記載しておらず、示唆する記載すらない。よって、このものとは関係なく発明したものである。
【００２２】
図２の運転中では、可動パネル４ａが化粧カバー３の内部に収納される配置となる。また、化粧カバー上部溝(前)３ｂ・化粧カバー上部溝(後)３ｃに収集された埃等は、可動パネル４ａの上面を拭くと同時に埃も収集可能となる。
【００２３】
この溝は、化粧カバー上部溝(前)３ｂの大きさが、化粧カバー上部溝(後)３ｃより大きくなっている。しかも、この化粧カバー上部溝(前)３ｂは化粧カバー上部溝(後)３ｃより低い配置となっている。このような化粧カバー上部溝(前)３ｂの大きさ及び低い配置となっていることにより、化粧カバー上部溝(後)３ｃに収納できない量の埃は化粧カバー上部溝(後)３ｃより低い化粧カバー上部溝(前)３ｂに移動する配置となる。また、化粧カバー上部溝(前)３ｂに収集した埃がある一定量を超えると、化粧カバー上部溝(前)３ｂから露出し、掃除機・拭き掃除等の目安となる。また、化粧カバー上部溝(前)３ｂと化粧カバー上部溝(後)３ｃは、いずれも化粧カバー３と一体の構造とした。これにより、組み立て等によるバラツキが無く、化粧カバー上部溝(前)３ｂと化粧カバー上部溝(後)３ｃとの間隔寸法を一定にできる。更に、化粧カバー上部溝(前)３ｂは、樹脂等の弾性のある材料で可動パネル４ａの上面に接触する先端の形状を鋭角にする。これによって、可動パネル４ａの上面に化粧カバー上部溝(前)３ｂの先端を摺動接触させても、弾性により可動パネル４ａの上面に傷を付け難く、摺動接触するようにできるため可動パネル４ａの上面の埃を収集可能となる。
【００２４】
さらに、可動パネル４ａの下面には、断面形状が半円形状の凸部４ｂを複数設けている。この半円形状の凸部４ｂを有することにより、可動パネル４ａがエアーフィルター７の上流面に沿って移動する時に、エアーフィルター７との接触面を傷付けること無く、埃を押し転がすようにかき集めることができる。埃を押し転がすようにすることで、丸められて小さくなった埃を、化粧カバー上部溝(後)３ｃに誘導し収納することができる。
【００２５】
運転停止時は可動パネル４ａの上面・化粧カバー３・化粧カバー正面３ａの表面がフラット化されて、室内機の外側全体の清掃性が向上する構造とした。
【００２６】
尚本実施例では、可動パネルが開いた状態に移動する時に埃を収集するが、可動パネルが閉じる状態に移動する時に埃を収集しても良い。閉じる時に埃を収集すると、次に運転をするまでの時間(日数)が長くなっても、埃中に菌が存在していたとしても埃が除去されるので菌の増殖を防ぐことができる。
【図面の簡単な説明】
【００２７】
【図１】本発明の一実施例の停止時を示す室内機の側断面図である。
【図２】本発明の一実施例の運転時を示す室内機の側断面図である。
【符号の説明】
【００２８】
１…室内ユニット筐体、２…キャビネット、３…化粧カバー、３ａ…化粧カバー正面、３ｂ…化粧カバー上部溝（前）、３ｃ…化粧カバー上部溝（後）、４…吸込み口、４ａ…可動パネル、４ｂ…可動パネル下面の凸部、５…吸出し口、６…空気通路、７…エアーフィルター、８…熱交換器、９…送風機、１０…風向板。
【図１】
2007187327.tif 000003
【図２】
2007187327.tif 000004